(57)【要約】【課題】吊り上げ力が分散されてシートに無理が加わらなくしかもフックの通しが容易で効率よく除雪を行うことができる除雪用シートを提供すること。【解決手段】本発明は、矩形のシート体の四つの隅部２Ａが吊り上げ可能となっている除雪用シートＡであって、隅部２Ａには、吊り上げ用の引っ掛け帯１が取り付けられ、該引っ掛け帯１は、第１脚部１１と第２脚部１２と両脚部を連絡する連絡ループ部１３とよりなり、該連絡ループ部１３により掛け孔１３Ａが形成されている除雪用シートＡである。【選択図】図１
2015218510.tif 000002
【特許請求の範囲】
【請求項１】
矩形のシート体の四つの隅部が吊り上げ可能となっている除雪用シートＡであって、隅部には、吊り上げ用の引っ掛け帯が取り付けられ、該引っ掛け帯は、第１脚部と第２脚部と両脚部を連絡する連絡ループ部とよりなり、該連絡ループ部により掛け孔が形成されていることを特徴とする除雪用シート。
【請求項２】
第１脚部は、上第１分岐部と下第１分岐部とよりなり、第２脚部は上第２岐部と下第２岐部とよりなり、上第１分岐部と下第１分岐部がシート体を挟み付けるように取り付けられており、同様に上第２岐部と下第２岐部とがシート体を挟み付けるように取り付けられていることを特徴とする請求項１記載の除雪用シートＡ。
【請求項３】
第１脚部と第２脚部との間の角度は、３０度〜５０度であることを特徴とする請求項１記載の除雪用シート。
【請求項４】
引っ掛け帯はシート体に縫合されることにより取り付けられていることを特徴とする請求項１記載の除雪用シート。
【請求項５】
引っ掛け帯１の連絡ループ部は、２枚の布片を折り畳んで縫合されて４層に形成されていることを特徴とする請求項１記載の除雪用シート。
【請求項６】
シート体がＰＥＴ糸を使った織布にＥＶＡ樹脂をラミネート或いは含浸したものであることを特徴とする請求項１記載の除雪用シート。
【請求項７】
シート体は、角部と辺部に折り代を形成してなることを特徴とする請求項１記載の除雪用シート。
【発明の詳細な説明】
【技術分野】
【０００１】
本発明は、効率よく除雪を行うことができる除雪用シートに関し、より詳しくは、吊り上げが容易な除雪用シートに関する。
【背景技術】
【０００２】
豪雪地帯では、雪掻き作業が住民にとって身体に大きな負担となっており、そのため除雪機、ブルドーザー等を使って雪を除去する方法や必要となる場所に融雪装置を備え付けて雪を解かす方法が採用されている。
前者の除雪機を使った方法は、シャベル等を使用するため道路等の除雪面を損傷する恐れがあり、また除雪面には薄層の取り残しがどうしても発生する。
また後者の融雪装置を使った方法では、設備費や電気料金が嵩むという欠点があるのと、対象となる除雪面が土砂であったり、或いは凹凸のある所では融雪効率が極めて悪い。
このようなことから、電力を使わず設備も殆ど必要とせず、しかも確実に除雪できる方法として、いわゆる除雪用シートが開発されている。
【０００３】
例えば、特許文献１には、両端にパイプと金属チエーンを取り付けた除雪マットが記載されている。
雪が積もった後、除雪マットの両端を持って運ぶものである。
【０００４】
また、特許文献２には、下網と上網との間に養生シートを挟んだ積層構造よりなる除雪兼用養生ネットが開示されている。
この除雪兼用養生ネットは、四隅にループを設けてあり、ここにクレーン等の吊り上げ用のフックを係合して吊り上げるものである。
しかし、除雪兼用養生ネットは、地面に敷くためフック等も雪底で地面に添った状態にあるためループにフックを通す場合に極めて通しにくい。
また、ループが内側に折れたりして雪底で凍ることもあり、この場合も、フックが通せないことがある。
更に、単なるループの取り付けてある角に荷重が集中し養生シートが損傷するようなことが起きる。
【０００５】
また、特許文献３には、矩形のラミネートクロスの４隅に直角三角形状の補強布を積層されてなるもので、この補強布を貫通して吊り具取付用金具を取り付けた除雪シートが開示されている。
これも吊り具取付用金具にロープを連結しクレーンで吊り上げるものである。
しかしラミネートクロスや補強布を貫通して吊り具取付用金具が取り付けられているので、その部分に荷重が集中しラミネートクロス自体が裂けるようなおそれがあり、強度としては必ずしも十分とはいえない。
【先行技術文献】
【特許文献】
【０００６】
【特許文献１】特開平１１−２８００３６号公報
【特許文献２】実開平５−６０２３２号公報
【特許文献３】特開２００１−１９３２８４号公報
【発明の概要】
【発明が解決しようとする課題】
【０００７】
本発明は上記事情に鑑みてなされたものである。
すなわち、本発明は、吊り上げ力が分散されてシートに無理が加わらなくしかもフックの通しが容易で効率よく除雪を行うことができる除雪用シートを提供することを目的とする。
【課題を解決するための手段】
【０００８】
本発明者は、上記課題を解決するため鋭意検討したところ、隅部にある引っ掛け部の両脚部を連絡する連絡ループ部に掛け孔を形成することで、意外にも、上記課題を解決し得ることを見出し、本発明を完成するに至った。
【０００９】
本発明は、（１）、矩形のシート体の四つの隅部２Ａが吊り上げ可能となっている除雪用シートＡであって、隅部２Ａには、吊り上げ用の引っ掛け帯１が取り付けられ、該引っ掛け帯１は、第１脚部１１と第２脚部１２と両脚部を連絡する連絡ループ部１３とよりなり、該連絡ループ部１３により掛け孔１３Ａが形成されている除雪用シートＡに存する。
【００１０】
本発明は、（２）、第１脚部１１は、上第１分岐部１１Ａと下第１分岐部１１Ｂとよりなり、第２脚部１２は上第２分岐部と下第２分岐部とよりなり、上第１分岐部１１Ａと下第１分岐部１１Ｂがシート体２を挟み付けるように取り付けられており、同様に上第２分岐部と下第２分岐部とがシート体２を挟み付けるように取り付けられている上記（１）記載の除雪用シートＡに存する。
【００１１】
本発明は、（３）、第１脚部１１と第２脚部１２との間の角度は、３０度〜５０度である上記（１）記載の除雪用シートＡに存する。
【００１２】
本発明は、（４）、引っ掛け帯１はシート体２に縫合されることにより取り付けられている上記（１）記載の除雪用シートＡに存する。
【００１３】
本発明は、（５）、引っ掛け帯１の連絡ループ部１３は、２枚の布片を折り畳んで縫合されて４層に形成されている上記（１）記載の除雪用シートＡに存する。
【００１４】
本発明は、（６）、シート体２がＰＥＴ糸を使った織布にＥＶＡ樹脂をラミネート或いは含浸したものである上記（１）記載の除雪用シートＡに存する。
【００１５】
本発明は、（７）、シート体２は、角部と辺部に折り代を形成してなる上記（１）記載の除雪用シートＡに存する。
【００１６】
なお、本発明の目的に沿ったものであれば上記（１）〜（７）を適宜組み合わせた構成も当然採用可能である。
【発明の効果】
【００１７】
本発明の除雪用シートＡは、矩形のシート体２の四つの隅部１が吊り上げ可能となっており、隅部１には、第１脚部１１と第２脚部１２と両脚部を連絡する連絡ループ部１３とよりなる引っ掛け帯１が取り付けられており、該連絡ループ部１３により掛け孔１３Ａが形成されているので、シート体２とは、離れた位置に掛け孔１３Ａが存在することになり掛け孔１３Ａが損傷してもシート体２事態に直接裂けるようなことがない。
【００１８】
また第１脚部１１と第２脚部１２とがＶ字状となるので吊り上げ力が分力化されて、シート体２の一部に無理な力が集中するようなことが避けられる。
従来例の除雪用シートのように、荷重が一箇所に集中してシートが損傷することが回避される。
そのため、隅部１に従来のように余分に強度を上げるための補強布を取り付ける必要がなく、その分、製造もより簡単となる。
【００１９】
また第１脚部１１は、上第１分岐部１１Ａと下第１分岐部１１Ｂとよりなり、第２脚部１２は上第２分岐部１２Ａと下第２分岐部１２Ｂとよりなり、上第１分岐部１１Ａと下第１分岐部１１Ｂがシート体２を挟み付けるように取り付けられており、同様に上第２分岐部１２Ａと下第２分岐部１２Ｂとがシート体２を挟み付けるように取り付けられていることにより、引っ掛け帯１がシート体２に確実に固定される。
【００２０】
また、第１脚部１１と第２脚部１２との間の角度は、３０度〜５０度であるので、シート体２に作用する引っ張り力が無理なく分散される。
【００２１】
また引っ掛け帯１の連絡ループ部１３は、２枚の布片を折り畳んで縫合されて４層に形成されていることにより、連絡ループ部１３により形成された掛け孔１３Ａの強度が極めて強くなり、剛性も高まり変形することもない。
【００２２】
また、吊り上げる際、フックＦ等を掛け孔１３Ａに通す場合、掛け孔１３Ａの周囲の壁部１３Ｂが案内となって挿通操作が容易である。
またシート体２は、角部と辺部に折り代を形成してなることにより、強度が増し、吊り上げの際の耐久力が向上する。
【図面の簡単な説明】
【００２３】
【図１】図１は、本実施形態に係る除雪用シートを概略的に示す平面図である。
【図２】図２は、本実施形態に係る除雪用シートの隅部を拡大して概略的に示す平面図であり、図２（Ａ）は表側、図２（Ｂ）は、裏側を示す。
【図３】図３は、本実施形態に係る除雪用シートの引っ掛け帯を説明する図であり、図３（Ａ）は、２枚の帯体を示し、図３（Ｂ）は、２枚の帯体を重ねて、中央部を二つ折りにした状態を示し、図３（Ｃ）は、連絡ループ部をループ状にして掛け孔が形成された状態を示す。
【図４】図４は、このような折り代を形成した例を概略的に示す図であり、図４（Ａ）は除雪用シートを裏側から見た場合、図４（Ｂ）は、表側から見た場合を示す。
【図５】図５は、除雪用シートＡの使用手順を示すフローチャートである。
【発明を実施するための形態】
【００２４】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２５】
（実施の形態）
本発明に係る除雪用シートＡは、該シートに所定の雪が積雪した後、四隅１を吊り上げ、その場から持ち上げて他所に移すものであり、対象となる除雪面に積もる雪を一挙に除去することができる。
図１は、本実施形態に係る除雪用シートＡを概略的に平面図である。
シート体２は矩形であり、４つの角は角取りがなされて隅部２Ａとなっている。
この四つの隅部は、吊り上げのための引っ掛け帯１が取り付けられている。
尚、シート体２は遮水シートであることが好ましい。
【００２６】
図２は、本実施形態に係る除雪用シートＡの隅部１を拡大して概略的に示す平面図であり図２（Ａ）は表側、図２（Ｂ）は、裏側を示す。
なお、図１や図２では縫い目は省略している。
【００２７】
図３は、本実施形態に係る除雪用シートＡの引っ掛け帯１を概略的に示す説明図である。
図３（Ａ）は、引っ掛け帯１を構成する２枚の帯体１Ａ、１Ａを示し、図３（Ｂ）は、連絡ループ部を形成した状態を示す。
引っ掛け帯１は、図３（Ａ）に示すような２枚の帯体１Ａ、１Ａを重ねて、中央部を二つ折りにすると、図３（Ｂ）に示すように４重の層からなる連絡ループ部１３が形成される。
【００２８】
引っ掛け帯１は、第１脚部１１と第２脚部１２と両脚部を連絡する連絡ループ部１３とよりなるもので、該連絡ループ部１３は、図３（Ｃ）に示すようにループ状にすることにより掛け孔１３Ａが形成される。
そして、第１脚部１１は、上第１分岐部１１Ａと下第１分岐部１１Ｂとよりなり、また第２脚部１２は上第２分岐部１２Ａと下第２分岐部１２Ｂとよりなる。
上第１分岐部１１Ａと下第１分岐部１１Ｂとはシート体２を挟み付けるように取り付けられており、同様に上第２分岐部１２Ａと下第２分岐部１２Ｂとはシート体２を挟み付けるように取り付けられている。
【００２９】
第１脚部１１と第２脚部１２との間の角度θ（すなわちは開き度合）は、荷重分散の観点から、好ましくは、３０度〜５０度が採用される。
引っ掛け帯１はシート体２に縫い糸を使って縫合されることにより取り付けられている。
また引っ掛け帯１は雪中に埋もれるものなので、視認し易いように目立つ色に着色されていることが好ましい。
例えば、積雪は白色なので、引っ掛け帯１は、例えば、青、赤、黄等に着色されたものを使う。
【００３０】
ところで第１脚部１１と第２脚部１２は、その各分岐部が裏と表に沿って縫合されており、シート体２から突出した部分は合わさって二枚の布片となり、更にそれが折り畳まれて４層になり連絡ループ部１３となっている。
そのため連絡ループ部１３は剛性が高まった状態となり、また連絡ループ部１３に形成された掛け孔１３Ａは軸方向に一定の厚みを有するものとなる。
【００３１】
この連絡ループ部１３に形成された掛け孔１３Ａにクレーンの吊り上げ用のフックＦ等が引っ掛けられて、すなわち挿入されて、除雪用シートＡは吊り上げられる。
この場合、掛け孔１３Ａの周囲の壁部１３Ｂは４層であって穴軸方向に一定の厚さとなっているので、掛け孔１３Ａの強度が増し、変形もしにくく、フックＦ等を挿入操作が簡単に行える。
また、周囲の壁部１３ＢがフックＦを挿入する場合の案内役となるので尚更、操作し易い。
【００３２】
また、４層よりなる連絡ループ部１３は、先述した従来のものと異なって、いわゆる腰が強くなり、折り曲がったりすることがない。
更にまた、連絡ループ部１３は地面に置かれた状態では、その部分がシート体２の厚みより厚いので、連絡ループ部１３とシート体２との境界部の下部には空所ができる。
そのため、この空所にバール等の工具をこじ入れて連絡ループ部１３自体を起立させることが容易にできる。
因みに、積もった雪底付近は圧を受け固くなっており、この雪底に連絡ループ部１３が置かれているため、連絡ループ部１３を起立させるのが大変である。
しかし、上述のように、バール等を挿入する空所があるため容易に起立させることができ、起立した状態では、容易にフックＦ等は引っ掛けられる。
【００３３】
ところで、シート体２より連絡ループ部１３は突出しているため、吊り上げた際、仮にも連絡ループ部１３が切れても、シート体２には及ばない。
一方では、次のような利点がある。
シート体２の両側に上第１分岐部１１Ａと下第１分岐部１１Ｂとが、固定されているので、機能的に見た場合、シート体２は表と裏の区別が殆ど無くなる。
そのため除雪用シートＡとして、使用する場合には、表と裏のどちら側でも同じような使用が可能である。
【００３４】
また、第１脚部１１と第２脚部１２とは、ある角度θをなして固定されているので、吊り上げた場合に、応力が分力化される結果、シート体２にも無理が加わらない利点がある。
この第１脚部１１と第２脚部１２の間の角度は、荷重分散の観点から３０度〜５０度であることが好ましいことは既に述べた。
以上、述べてきたが、引っ掛け帯をシート体に取り付ける場合に、強度の観点から、シート体の角部を裏側に折り曲げて折り代を形成したり、或いはシート体の縁部を裏側に折り曲げて折り代を形成したりすることも行われる。
【００３５】
図４は、このような折り代を形成した例を概略的に示す図であり、図４（Ａ）は、除雪用シートを裏側から見た場合、図４（Ｂ）は、表側から見た場合を示す。
折り代は、縫合することにより固定される。
折り代２１の部分は、シート体２の角部を折り曲げたり、或いは辺部を折り曲げたりすることにより形成するが、この部分はシート体が二つ折り状態になって強度が増し吊り上げの際の耐久性も向上する。
しかも、角部の折り曲げと辺部の折り曲げとが、重なった部分２１Ａは、より強度が向上する。
強度が増し、吊り上げの際の耐久力が向上する。
また引っ掛け帯１はシート体２に縫合により取り付けられているが、縫い目Ｓは必ずしも図示のようなものに限らない。
次に、本発明の除雪用シートＡにおける具体的な使用方法の例を述べる。
【００３６】
図５は、除雪用シートＡの使用手順を示すフローチャートである。
(使用方法)
１）（除雪用シートを敷設）
今だ、雪が積もっていない状態において、除雪を対象とする面（地面）に対して除雪用シートＡを敷設する。
この場合、除雪用シートＡはシート体２から外方に、いわゆる放射状に連絡ループ部１３が広がるようにして地面に置かれる。
２）（除雪用シートを所定時間放置）
除雪用シートＡを地面に敷設した状態のまま、所定時間放置することにより、雪が除雪用シート上に積もる。
【００３７】
３）（連絡ループ部の上の雪の除去）
決められた一定の積雪量(高さ)になった時点で除雪用シートＡを雪と共に取り去ることになるが、この際、先述したようにシート体２と共に連絡ループ部１３も雪底に埋まっているのでフックＦ等はそのままでは引っ掛けられない。
従って、まず連絡ループ部１３の上方にある雪を取り除く。
この場合、連絡ループ部１３が目立つように着色されているとその位置が区別でき分かり易い。
４）（連絡ループ部を起立）
そして連絡ループ部１３の下方に生じている空所Ｓに、バール等をこじ入れて連絡ループ部１３を上方に起立させる。
この状態では、連絡ループ部１３はシート体２に対して少なくとも傾斜状に上方に起立する。
【００３８】
５）（掛け孔へのフック通し）
次に起立した状態にある連絡ループ部１３の掛け孔１３ＡにフックＦを通す。
先述したように、掛け孔１３Ａの周囲の壁部１３Ｂは４層であって一定の厚さとなっているので、掛け孔１３Ａが変形しにくく、フックＦ等を挿入し易い。
また連絡ループ部１３の掛け孔１３Ａの周囲の壁部１３Ｂが案内となるため容易にフックＦを通すことができる。
６）（吊り上げ）
４隅の掛け孔１３ＡにフックＦを通したら、地面より一定の高さまで雪と共に除雪用シートＡを吊り上げる。
この場合、除雪用シートＡが傾いて上にある雪が落下しないように、極力、シート体２はその四隅を水平に保つことが好ましい。
【００３９】
７）(他場所への移動)
この後、吊り上げた状態のまま雪と共に除雪用シートＡを、他場所に移動させる。
以上で地面から雪が取り除かれたことになる。
このように、地面の領域、すなわち除雪用シートＡの面積に相当する領域（例えば、５ｍ×５ｍ）を一挙に除雪することができ、この操作を繰り返すことで、広い領域の積雪を除去することができる。
【００４０】
本発明の除雪用シートＡを使うことで、掛け孔１３Ａの損傷も防止され、吊り上げのためのフックＦも通し易く、また、吊り上げた際の荷重が分散されるため、シート体２に一部に荷重が集中することもなく、強度も向上する。
このように除雪用シートＡを使った除雪作業は極めて効率的である。
なお除雪用シートの機能を考慮すると霜除けにも適用可能である。
【００４１】
以上、本発明を説明したが、本発明は、上述した実施の形態に限らず、その目的を達成できる範囲で変更が可能である。
例えば、シート体２の材質は、合成樹脂シートや合成繊維織布等が採用されるが、軽量で且つ柔軟性にも優れており、また焼却しても無害な点からＥＶＡ樹脂（エチレン酢酸ビニル共重合樹脂）を使ったものが好ましく使用される。
特に、ＰＥＴ糸を使った織布にＥＶＡ樹脂をラミネート或いは含浸したシート体２は強度も高まってより好ましい。
また第１脚部１１、第２脚部１２、及び連絡ループ部１３とよりなる引っ掛け帯１の材質も同様なことがいえる。
【産業上の利用可能性】
【００４２】
本発明の除雪用シートＡは、吊り上げ力が分散されてシートに無理が加わらなく、しかも連絡ループ部１３の掛け孔１３Ａに対するフックＦの通しが容易で効率よく除雪を行うことができるものである。原理的には土砂等を除去する方法に使用することも可能であり、更には霜除けにも利用が可能である。
【符号の説明】
【００４３】
１・・・引っ掛け帯
１Ａ・・・帯体
１１・・・第１脚部
１１Ａ・・・上第１分岐部
１１Ｂ・・・下第１分岐部
１２・・・第２脚部
１２Ａ・・・上第２分岐部
１２Ｂ・・・下第２分岐部
１３・・・連絡ループ部
１３Ａ・・・掛け孔
１３Ｂ・・・壁部
２・・・シート体
２Ａ・・・隅部
２１・・・折り代
２１Ａ・・・重なった部分
Ａ・・・除雪用シート
Ｆ・・・フック
Ｓ・・・縫い目
【図１】
2015218510.tif 000003
【図２】
2015218510.tif 000004
【図３】
2015218510.tif 000005
【図４】
2015218510.tif 000006
【図５】
2015218510.tif 000007